(57)【要約】【課題】シール部材を不要としながらも高い止水性を確保できる屋根材を提案する。【解決手段】本体部分の幅方向の一端に下ハゼ３を有し、該本体部分の幅方向の他端に上ハゼ４を有する屋根材１の複数枚を、軒方向、軒−棟方向に沿って配列するとともに、各屋根材の下ハゼ３、上ハゼ４を、隣接配置される屋根材（１′）の上ハゼ（４′）、下ハゼ（３′）にそれぞれ嵌合させて屋根材同士を相互につなぎ合わせて屋根を構築する屋根材において、該本体部分は、下ハゼ３の末端から上ハゼ４に向けて伸延し該本体部分の裏面を覆い隠す裏貼り材５を有するもので構成する。そして、該裏貼り材５に、上ハゼ４の少なくとも一部分を覆い隠すとともに、隣接配置される屋根材（１′）の下ハゼ（３′）との間にて挟持される延長部分５ａを設ける。【選択図】図２
2019070225.tif 000002
【特許請求の範囲】
【請求項１】
本体部分の幅方向の一端に下ハゼを有し、該本体部分の幅方向の他端に上ハゼを有する屋根材の複数枚を、軒方向、軒−棟方向に沿って配列するとともに、各屋根材の下ハゼ、上ハゼを、隣接配置される屋根材の上ハゼ、下ハゼにそれぞれ嵌合させて屋根材同士を相互につなぎ合わせて屋根を構築する屋根材であって、
該本体部分は、下ハゼの末端から上ハゼに向けて伸延し該本体部分の裏面を覆い隠す裏貼り材を有し、
該裏貼り材は、上ハゼの少なくとも一部分を覆い隠すとともに、隣接配置される屋根材の下ハゼとの間にて挟持される延長部分を有することを特徴とする屋根材。
【請求項２】
前記下ハゼは、頭頂部を形成する天板に、上方に向けて開放され、前記本体部分の長手方向に沿って連続的に伸延する少なくとも１本の溝部を有することを特徴とする請求項１に記載した屋根材。
【請求項３】
前記裏貼り材は、オレフィン系樹脂からなることを特徴とする請求項１または２に記載した屋根材。
【発明の詳細な説明】
【技術分野】
【０００１】
本発明は、屋根材の幅方向端縁に設けられた下ハゼ、上ハゼをそれぞれ隣接配置される屋根材の上ハゼ、下ハゼに嵌合させて屋根材同士を相互につなぎ合わせて建築構造物（一般住宅や事務所、マンション、福祉施設、リゾート施設等）の屋根を葺きあげるのに好適な屋根材に関するものである。
【背景技術】
【０００２】
従来、建築構造物の屋根を葺きあげるのに用いられる屋根材としては、屋根材の幅方向の端縁の一方に下ハゼを備え、もう一方の幅方向の端縁に上ハゼを備えた嵌合式の屋根材が用いられている。
【０００３】
かかる屋根材は、その本体部分が一対の短辺部と一対の長辺部とで区画され、軒乃至軒−棟方向に沿って長尺な、偏平、矩形の平面形状を有するものが多く用いられており、下ハゼを、隣接配置される屋根材（同等の構成からなるもの）の上ハゼに嵌合させる一方、該上ハゼを隣接配置される他の屋根材の下ハゼに嵌合させることによって屋根材同士のつなぎ合わせを可能としており、これにより屋根の効率的な葺きあげ施工を実現している。
【０００４】
ところで、この種の屋根材は、下ハゼと上ハゼとの嵌合部から毛細管現象、すが漏れ（すが漏れとは、軒先に氷雪等が堆積し、雨水や融雪水が軒先でダム状に滞留して屋根の一部を水没させ、上ハゼ、下ハゼとの嵌合部内が雨水や融雪水で満たされてしまう状態をいう。）により雨水、融雪水等が浸入しやすい不具合を有している。
【０００５】
この点に関する先行技術として、特許文献１には、係合雌部の開口部内に、接着時に流動性を示し、接着後に連結する他の屋根板材に対して接着性を示す弾性体となるシール材（ホットメルト型シール材）を装着した屋根板材およびその製造方法が提案されている。
【０００６】
また、特許文献２には、面板部の幅方向の一端に設けられた断面略三角形状の嵌合部の内側に長手方向に沿って弾性シール部材（スポンジ、ゴム、ウレタン材等）を装着し、この弾性シール部材を、鉤状膨出部の膨出頂片との間で圧縮変形させることによって雨水の浸入を防止した屋根板およびその屋根が提案されている。
【０００７】
さらに、特許文献３には、上ハゼと下ハゼとの間に溝状の空間を設け、この溝状の空間によりサイフォン現象による雨水の浸入をシール材を用いることなしに防止するとともに、嵌合部内に雨水が浸入したとしてもそれを軒先から排出する屋根材の接続構造が提案されている。
【先行技術文献】
【特許文献】
【０００８】
【特許文献１】特開２００５−２１３８１０号公報
【特許文献２】特開平９−２５６５５７号公報
【特許文献３】特開２０１７−２５６４９号公報
【発明の概要】
【発明が解決しようとする課題】
【０００９】
しかしながら、上記特許文献１、２で提案されているシール構造においては、シール材を別途に用意する必要があり、屋根の施工時には、通常の手順に加えてシール部材を配置する作業が不可避であり、屋根の効率的な施工が行えない不具合を有していた。
【００１０】
とくに、特許文献２で提案されているシール構造においては、止水材である弾性シール材を所定の位置に設置する際、成形誤差などの影響によって止水材がずれたりねじれたりする可能性があり、そのまま施工された場合には屋根材同士が正常に嵌合されず、屋根材において重要な耐風圧、防水性能が著しく低下することが懸念されていた。
【００１１】
なお、シール部材を配置する屋根材については、屋根材の製造時にシール部材を予め屋根材に取り付けておく試みもなされているが、この場合には、シール部材の取り付け工程が別途必要となるため効率的な製造が行えるとはいい難く、製造コストの上昇も避けられない状況にあった。
【００１２】
特許文献３に開示されている防水構造については、すが漏れを防止する効果は高いものの、外気温が氷点下を大きく下回る冬季においては、ハゼ内に浸入した水が軒先の開口部から排出される際に凍結し、開口部が閉塞されてしまった場合には、ハゼ内の水が排出されず屋内へ浸水するおそれもある。
【００１３】
本発明の目的は、上ハゼと下ハゼとを嵌合させて屋根材同士をつなぎ合わせる場合において懸念された嵌合部での毛細管現象、あるいは、すが漏れによる雨水、融雪水等の浸入を、煩雑な作業を伴ったり、手間のかかる製造工程を経ることなしに、確実に防止できる屋根材を提案するところにある。
【課題を解決するための手段】
【００１４】
本発明は、本体部分の幅方向の一端に下ハゼを有し、該本体部分の幅方向の他端に上ハゼを有する屋根材の複数枚を、軒方向、軒−棟方向に沿って配列するとともに、各屋根材の下ハゼ、上ハゼを、隣接配置される屋根材の上ハゼ、下ハゼにそれぞれ嵌合させて屋根材同士を相互につなぎ合わせて屋根を構築する屋根材であって、該本体部分は、下ハゼの末端から上ハゼに向けて伸延し該本体部分の裏面を覆い隠す裏貼り材を有し、
該裏貼り材は、上ハゼの少なくとも一部分を覆い隠すとともに、隣接配置される屋根材の下ハゼとの間にて挟持される延長部分を有することを特徴とする屋根材である。
【００１５】
上記の構成からなる屋根材において、前記下ハゼは、頭頂部を形成する天板に、上方に向けて開放され、前記本体部分の長手方向に沿って連続的に伸延する少なくとも１本の溝部を有するのが好ましく、裏貼り材は、オレフィン系樹脂で構成するのが好ましい。
【発明の効果】
【００１６】
本発明の屋根材によれば、本来、主に屋根の結露防止に使用される裏貼り材に上ハゼの少なくとも一部分を覆い隠す延長部分を設け、屋根材のつなぎ合わせに際して、該延長部分を、隣接配置される屋根材の下ハゼとの相互間で挟持するようにしたため、この部位をシール材として機能させることが可能となり、嵌合部での毛細管現象、あるいはすが漏れによる雨水や融雪水等の浸入を確実に防止することができる。
【００１７】
また、本発明の屋根材によれば、下ハゼの頭頂部を形成する天板に、上方に向けて開放され、本体部分の長手方向に沿って連続的に伸延する少なくとも１本の溝部を設けるようにしたため、雨水や融雪水が嵌合部に浸入しても、それを軒先に向けて流下させて外部へ排出することができるとともに、該溝部により等圧空間が形成されるため、嵌合部に雨水を吹き込むような圧力（風圧）が作用しても、その圧力を外部へ逃がすことが可能（圧力の低減）で、裏貼り材の延長部分による止水効果がより一層高まる。
【００１８】
裏貼り材の延長部分をシール材として機能させることにより、シール部材を配置する作業は不要となり屋根の効率的な施工が可能となる。また、屋根材の製造過程では、裏貼り材を設ける領域を延長するだけで事足りるため、余計な工程が付加されることがなく、屋根材の効率的な製造が可能になる。
【図面の簡単な説明】
【００１９】
【図１】本発明にしたがう屋根材を模式的に示した外観斜視図である。
【図２】図１に示した屋根材の正面を拡大して示した図である。
【図３】図１に示した屋根材の平面を示した図である。
【図４】図１に示した屋根材の底面を示した図である。
【図５】図１〜４に示した屋根材を用いて構築された屋根の一部分をその正面について示した図である。
【図６】屋根材のつなぎ合わせ状況を要部について示した図である。
【図７】本発明にしたがう屋根材の他の例を要部について示した図である。
【図８】本発明にしたがう屋根材のさらに他の例を要部について示した図である。
【図９】雨水の浸入経路を示した図である。
【図１０】本発明にしたがう屋根材のさらに他の例をその正面について模式的に示した図である。
【発明を実施するための形態】
【００２０】
以下、図面を参照して本発明をより具体的に説明する。
図１は、本発明に従う屋根材を模式的に示した外観斜視図であり、図２は、図１に示した屋根材の正面図を拡大して示した図であり、図３は、図１に示した屋根材の平面図であり、図４は、図１に示した屋根材の底面図である。
【００２１】
図１〜４に示した屋根材は、隣接配置される屋根の相互間で上ハゼ、下ハゼを相互に嵌合させるとともに、タイトフレームＴの吊子に形成された連係爪部ｔ１に連係させて固定、保持することによって山部と谷部が交互に配列された図５に示す如き屋根を構築するのに好適な折板屋根材を例として示したものである。なお、本発明は、上ハゼを下ハゼに嵌合させて屋根材同士をつなぎ合わせる嵌合タイプの屋根材の全てに適用可能であり、折板屋根材にのみ限定されるものではない。
【００２２】
図１〜４における符号１は、屋根材である。この屋根材１は、軒方向に沿って伸延する一対の短辺部１ａ、１ｂと、この短辺部１ａ、１ｂにつながり、軒−棟方向に沿って伸延する一対の長辺部１ｃ、１ｄによって区画された偏平、矩形の平面形状からなる本体部分（溝板）を有している。
【００２３】
屋根材１の本体部分は、図示はしないが、軒方向に沿って伸延する一対の長辺部と、この長辺部につながり、軒−棟方向に沿って伸延する一対の短辺部とによって区画された扁平、矩形の平面形状からなるものを適用することも可能であり、屋根材の平面形状については図示のものに限定されることはない。長さについても適宜に変更することができる。
【００２４】
屋根材１としては、具体的には、厚さ０．６〜１．０ｍｍ程度の亜鉛めっき鋼板、アルミニウム亜鉛合金めっき鋼板、アルミニウム板、ステンレス鋼板、銅板等を用いることができる。なお、本発明において「隣接配置される屋根材」とは、本発明にしたがう屋根材と同じ構成からなる屋根材を意味しているが、以下の説明において「隣接配置される屋根材」については、符号に（′）を付して表示することとする。
【００２５】
また、図における符号２ａ、２ｂは、下端部が本体部分の長辺部１ｃ、１ｄにそれぞれつながり、その部位を起点に斜め上方へ立ち上がる傾斜側壁、３は、傾斜側壁２ａの上端において片持ち状態で連結された下ハゼである。この下ハゼ３は、長辺部１ｃと同じ長さを有しており、頭頂部を形成する天板３ａと、天板３ａの幅方向の一端および傾斜側壁２ａの上端部との相互間で一体連結する張り出し顎部３ｂと、該天板３ａの幅方向のもう一端に垂下保持され、タイトフレームＴの連係爪部ｔ１の外表面に当接可能な垂下片３ｃ（タイトフレームＴの連係爪部ｔ１の外表面に沿う傾斜を有している）から構成されている。
【００２６】
天板３ａの幅方向の中央部には、上方に向けて開放され、本体部分の長手方向に沿って連続的に伸延する少なくとも１本の溝部３ａ１が形成されている。溝部３ａ１は、屋根材の流れ方向（傾き方向）に貫通する空間領域を形成するものであって、下ハゼ３と隣接配置される屋根材の上ハゼ（４′）との嵌合部において、たとえ、毛細管現象やすが漏れにより雨水が浸入することがあってもそれを軒先に向け流下させて外部へ排出することができるだけでなく、外気の圧力と等しい等圧空間となるため、下ハゼ３と上ハゼ（４′）との間に雨水を吹き込むような圧力（風圧）が作用してもその圧力を外部へ逃がすことができる（圧力の低減）ようになっている（嵌合部内の風圧による影響を小さくすることができる）。
【００２７】
また、４は、長辺部１ｄと同じ長さを有し、傾斜側壁２ｂの上端において片持ち状態で連結された上ハゼである。上ハゼ４は、ここでは、ドーム形状をなすものを例として示してあり、隣接配置される屋根材の下ハゼ（３′）の天板（３ａ′）、張り出し顎部（３ｂ′）、垂下片（３ｃ′）を入れ込む内部空間を有する頭部４ａと、この頭部４ａの下端につながり、下ハゼ（３′）の張り出し顎部（３ｂ′）およびタイトフレームＴの連係爪部ｔ１（図５参照）に係合可能な内向きの凸部４ｂ、４ｃとから構成されている。上ハゼ４の凸部４ｂの下端には、隣接配置される屋根材（１′）の傾斜側壁（２ｂ′）の外表面に当接可能な垂下壁４ｄが設けられている。
【００２８】
上ハゼ４の凸部４ｂ、４ｃとの間には、頭部４ａの内部空間につながる開口が形成されており、この開口を通して隣接配置される屋根材（１′）の下ハゼ（３′）の天板（３ａ′）を内部空間に入れ込むことにより上ハゼ４と隣接配置される屋根材（１′）の下ハゼ（３′）が嵌合し、下ハゼ３については、隣接配置される屋根材（１′）の上ハゼ（４′）の内部空間に入り込むことでその両者が嵌合することになる。
【００２９】
上ハゼ４と下ハゼ（３′）の嵌合、下ハゼ３と上ハゼ（４′）との嵌合は、いずれにおいても、タイトフレームＴの連係爪部ｔ１において行われ、上ハゼ４と下ハゼ（３′）、下ハゼ３と上ハゼ（４′）が嵌合状態におかれたとき、上ハゼ４の凸部４ｂ、４ｃ、下ハゼ３の張り出し顎部３ｂは、タイトフレームＴの連係爪部ｔ１に引っ掛かることになり、これにより屋根材１は、タイトフレームＴに固定、保持される。屋根材１をタイトフレームＴにより強固に固定するため連結ボルトを用いることもできる。
【００３０】
本発明にしたがう屋根材１の下ハゼ３、上ハゼ４は、いずれも、屋根材１となる板素材に曲げ加工（ロールによる曲げ加工やプレス加工等）を施すことによって本体部分とともに成形されるものであり、その形状については適宜変更することが可能であって図示のような断面形状に限定されることはない。
【００３１】
また、５は、下ハゼ３の末端から上ハゼ４に向けて伸延する裏貼り材である。裏貼り材５は、上ハゼ４の少なくとも一部分を覆い隠す延長部分５ａを有している。延長部分５ａは、屋根材同士をつなぎ合わせる際に、図５、図６に示すように、隣接配置される屋根材（１′）の下ハゼ（３′）との間にて挟持されるものであって、これによって、嵌合部内への雨水、融雪水等の浸入を防止することができるようになっている。
【００３２】
裏貼り材５は、延長部分５ａを含め、その厚さを０．２〜１．６ｍｍ程度、最大でも厚さ４．０ｍｍ程度に設定されたオレフィン系樹脂、例えば、発泡ポリエチレン樹脂を用いることができる。かかる裏貼り材５によれば、屋根材１の裏面における結露を防止することができるだけでなく、延長部分５ａがシール材としての十分な機能を備えることになる。
【００３３】
裏貼り材５に延長部分５ａを設けるにあたっては、上ハゼ４の幅方向の全域とすることができるが、裏貼り材５の使用量を極力削減しながらも、より高いシールが実現できるように、図７に示すように、上ハゼ４の頭部４ａの天面板４ａ１の直下まで延長するか、あるいは図８に示すように、隣接配置される屋根材（１′）の下ハゼ（３′）の溝部（３ａ１′）の直近に至るまで延長するのが好ましい。図６、図７に示すような延長部分５ａは、とりわけ止水効果が高い。
【００３４】
通常、金属製の屋根材は、主に結露等の発生を防止する観点から、裏貼り材５を設けるのが一般的であり、とくに、上掲図１に示した如き折板屋根材では、下ハゼ３の末端、すなわち、下ハゼ３の幅方向の端縁から上ハゼ４の、隣接配置される屋根材（１′）の下ハゼ３′の末端に対応する領域に設けられているにすぎない。しかし、本発明では、裏貼り材５に、上ハゼ４の少なくとも一部分を覆う延長部分５ａを設け、この延長部分５ａを隣接配置される屋根材の下ハゼ（３′）にて挟持するようにしたため、シール材を別途に設けることなしに雨水や融雪水の浸入を防止することが可能となり、屋根を効率的に構築し得る。また、屋根材の製造に際しては、裏貼り材５に延長部分５ａを設けるだけでよいため、屋根材の製造に際して余計な工程が付加されることもない利点を有している。
【００３５】
図９は、雨水の浸入経路を示した図である。とくに、下ハゼ３の天板３ａに溝部３ａ１を設けた屋根材においては、嵌合部において雨水を吹き込むような圧力（風圧）が作用して図９に示す如き経路を辿って雨水が浸入したとしてもその圧力を効果的に低減することが可能であり、裏貼り材５の延長部分５ａによる止水効果をより一層高めることができる。
【００３６】
溝部３ａ１については、下ハゼ３の天板３ａの幅方向の中央部に設けた逆台形状をなすものを例として示したが、例えば、図１０に示すような断面形状を有する溝部３ａ１を適用することも可能であり、溝部３ａ１の断面形状については限定されない。
【産業上の利用可能性】
【００３７】
本発明によれば、上ハゼと下ハゼを嵌合させて屋根材同士をつなぎ合わせる場合において懸念されていた嵌合部での毛細管現象やすが漏れによる雨水、融雪水の浸入を、シール材を取り付けるなどの煩雑な作業を伴うことなしに、確実に防止し得る屋根材が提供できる。
【符号の説明】
【００３８】
１、１′      屋根材
１ａ、１ｂ    短辺部
１ｃ、１ｄ    長辺部
２ａ、２ｂ、２ａ′、２ｂ′    傾斜側壁
３、３′      下ハゼ
３ａ、３ａ′    天板
３ａ１、３ａ１′    溝部
３ｂ、３ｂ′    張り出し顎部
３ｃ、３ｃ′    垂下片
４、４′      上ハゼ
４ａ、４ａ′    頭部
４ｂ、４ｃ、４ｂ′、４ｃ′    凸部
５、５′      裏貼り材
５ａ、５ａ′    延長部分
Ｔ      タイトフレーム
ｔ１    連係爪部
【図１】
2019070225.tif 000003
【図２】
2019070225.tif 000004
【図３】
2019070225.tif 000005
【図４】
2019070225.tif 000006
【図５】
2019070225.tif 000007
【図６】
2019070225.tif 000008
【図７】
2019070225.tif 000009
【図８】
2019070225.tif 000010
【図９】
2019070225.tif 000011
【図１０】
2019070225.tif 000012